(57)【要約】【目的】  筆記部を出没操作する各種筆記具において、該操作を利用して娯楽性のある別動作を起こす構造に更に視覚的変化の多様性を実現を可能とする工夫を付加すること。【構成】  筆記軸４に設けた操作部３をスライド操作することで筆記部２を出没操作するシャープペンシルやボールペンといった筆記具１であって、筆記軸４に形成された複数の表示部５内に配設された鮮やかな色彩着色を施したキャラクター回転体６が、操作部３のスライド操作に起因してそれぞれに回転動作してその視覚的変化を外部から楽しむことができる構造とされているものにおいて、表示部５が内面を鏡面化７されキャラクター回転体６よりも大きな半球体形状５ｂのものとされていることで表示部内面にキャラクター回転体６が映り込み、回転動作による視覚的変化がより豊富なものとして楽しむことができる筆記具１。【選択図】      図１
0003104218.tif 000002
【実用新案登録請求の範囲】
【請求項１】
筆記軸に設けた操作部をスライド操作することで筆記部を出没操作するシャープペンシルやボールペンといった筆記具であって、筆記軸に形成された複数の表示部内に配設された鮮やかな色彩着色を施したキャラクター回転体が、操作部のスライド操作に起因してそれぞれに回転動作してその視覚的変化を外部から楽しむことができる構造とされているものにおいて、表示部が内面を鏡面化されキャラクター回転体よりも大きな半球体形状のものとされていることで表示部内面にキャラクター回転体が映り込み、回転動作による視覚的変化がより豊富なものとして楽しむことができることを特徴とする複数の回転体表示部を有する筆記具。
【考案の詳細な説明】
【技術分野】
【０００１】
本考案は、筆記部を出没操作するボールペンやシャープペンシルといった筆記具において、該出没操作を利用して娯楽性のある別動作を起こす構造を付加したものに更なる視覚的変化の多様性を与える新たな筆記具を提案するものである。
【背景技術】
【０００２】
ボールペンやシャープペンシルといった筆記用具において、その筆記部をノック式あるいはスライド式の操作部による操作によって出没させることは、従来から普通に行われているところである。
【０００３】
このような出没操作によって単に筆記部を出没操作させるだけでなく、筆記軸等に附属させたキャラクター部材の適宜な可動部を可動変化させてその動作を観察し楽しむようなことも近時は広く提案されている。
【０００４】
また、可動変化の１つのヴァリエーションとして、筆記軸に形成した表示部を介して内蔵され回転動作する回転部材の表面に記載された文字や数字や模様の変化を恰もスロットマシーンのように楽しむことを提案するものとして以下のものが存在している。
【特許文献１】実開平６−４７３８５号公報
【考案の開示】
【考案が解決しようとする課題】
【０００５】
上記した可動部を動作させて娯楽性を高める各種筆記用具はそれぞれに需要者の要求に応えたものではあるが、既に広く市場に出回っており新たな興味を喚起するものとは成り難くなってきている。
【０００６】
そこで、筆記部の出没操作に起因して各種動作を実現するとしても従来とは異なった手法を提案することが求められているものである。
【課題を解決するための手段】
【０００７】
本考案は、上記したような従来の技術における課題を解消すべく検討を重ねて創案されたものであり、筆記軸に内蔵した回転体の回転動作を表示部を介して外部から観察できるようにした各種筆記具において、その回転動作によりもたらされる視覚的変化の表現をより豊かなものとするために、表示部の内面に鏡面化を施しそこへの映し込みをも楽しめるようにすることを提案するものであって、具体的には以下の如くである。
【０００８】
（１）  筆記軸に設けた操作部をスライド操作することで筆記部を出没操作するシャープペンシルやボールペンといった筆記具であって、筆記軸に形成された複数の表示部内に配設された鮮やかな色彩着色を施したキャラクター回転体が、操作部のスライド操作に起因してそれぞれに回転動作してその視覚的変化を外部から楽しむことができる構造とされているものにおいて、表示部が内面を鏡面化されキャラクター回転体よりも大きな半球体形状のものとされていることで表示部内面にキャラクター回転体が映り込み、回転動作による視覚的変化がより豊富なものとして楽しむことができることを特徴とする複数の回転体表示部を有する筆記具。
【実施例】
【０００９】
上記したような本考案によるものの具体的な実施例の若干を、添付図面等を利用しながら説明する。
【００１０】
まず、本考案の基礎となる従来技術による筆記用具の１例が図３に示されているものである。これは既に市販されているものと略同様な外観及び構造を有するもので、筆記用具１aの筆記部２aを出没操作するスライド式操作部３aが筆記軸４aの側面に配置されており、筆記軸４aに内蔵されたギアやラック部、スプリングの組合せによって操作部３aのスライド動作が３個の円形表示部５aに収容された回転部材６aの回転動作として伝達されるように構成されているものである。
【００１１】
回転部材６aの表面には文字や数字、模様が表記されており３個の円形表示部５aに配置された回転部材６aが操作部３aのスライド操作に起因してそれぞれランダムに回転動作した結果、文字や数字、模様がきれいに揃うかどうかなどといったことを楽しむようになっている。
【００１２】
図１は、このような筆記用具１aを基礎として改良を施した本考案による筆記用具１の１例をその内部構造と共に示したものである。
すなわち、筆記部２の出没操作のためにスライド式操作部３を操作し、該スライド操作に起因して筆記軸４内の構造を使って３個の円形表示部５に配置されたキャラクター回転体６を回転動作させることに関しては図３の従来技術と同様である。
【００１３】
しかしながら、本考案においては回転体６にキャラクター表記や形状を採用し、これに赤、黄、青といった鮮やかな色彩を用いた着色を施し、しかも回転体６の大きさを円形表示部５よりも明確に小さなものとなし、該円形表示部５を背景としたキャラクター回転体６の回転動作を観察できるよにしたところに技術的特質を有しているものである。
【００１４】
この際に、図２に示すように円形表示部５の形状を半球体５ｂとなし、しかもその内面をメッキ処理などにより鏡面化部７として該鏡面化部７に鮮やかな色彩を施したキャラクター回転体６が映り込むように配慮したことで、本考案の筆記用具１における円形表示部５を介して観察されるキャラクター回転体６の回転動作はその視覚的変化において著しく複雑さや美麗性を増したものとなっているのである。
【００１５】
上記してきた本考案の図に示された筆記用具１の筆記部２はボールペンに関してのものであるが、同様のスライド式操作部３によって出没操作可能なシャープペンシルなどについても本考案は実施可能なものである。
【００１６】
以上説明したように本考案の筆記用具１は、筆記部２の出没操作に起因して回転動作するキャラクター回転体６の動作を複数の円形表示部５を介してその鏡面化部７における映り込み影像の変化と共に観察することができるものであり、従来のこの種の物品とは異なる視覚的刺激を実現することで需要者の興味を惹くものであるから、産業上の利用可能性が高い考案である。
【図面の簡単な説明】
【００１７】
【図１】本考案による筆記用具の１例をその内部構造と共に示した説明図である。
【図２】本考案で使用する半球体形状の円形表示部を示した図面である。
【図３】従来技術による筆記用具の１例を示した図面である。
【符号の説明】
【００１８】
１    筆記用具
１ａ    従来技術による筆記用具
２    筆記部
２ａ    従来技術による筆記部
３    スライド式操作部
３ａ    従来技術によるスライド式操作部
４    筆記軸
４ａ    従来技術による筆記軸
５    円形表示部
５ａ    従来技術による円形表示部
５ｂ    本考案の半球体形状部
６    本考案のキャラクター回転体
６ａ    従来技術による回転体
７    鏡面化部
【図１】
0003104218.tif 000003
【図２】
0003104218.tif 000004
【図３】
0003104218.tif 000005